(57)【要約】【課題】導体と配線板との接続作業性を向上することができる表示機器を提供する。【解決手段】ケース３と、このケース３の前面側に配置される表示部と、ケース３に収容され表示部の背面側に配置される配線板７と、この配線板７の背面側に配置されケース３を閉塞する裏カバー９と、表示部に接続されコネクタ１１を介して配線板７に接続される導体１３とを備えた表示機器１において、ケース３に、コネクタ１１と導体１３とが位置する部分に切欠部１５を設け、裏カバー９に、切欠部１５側に向けて延設され切欠部１５を覆う覆い部１７を設けた。【選択図】図２
2014002333.tif 000002
【特許請求の範囲】
【請求項１】
ケースと、このケースの前面側に配置される表示部と、前記ケースに収容され前記表示部の背面側に配置される配線板と、この配線板の背面側に配置され前記ケースを閉塞する裏カバーと、前記表示部に接続されコネクタを介して前記配線板に接続される導体とを備えた表示機器であって、
前記ケースは、前記コネクタと前記導体とが位置する部分に切欠部が設けられ、前記裏カバーは、前記切欠部側に向けて延設され前記切欠部を覆う覆い部が設けられていることを特徴とする表示機器。
【請求項２】
請求項１記載の表示機器であって、
前記切欠部と前記覆い部とのうちいずれか一方の対向面には、挿入穴部が設けられ、他方の対向面には、前記挿入穴部に挿入される先細り形状の挿入突部が設けられていることを特徴とする表示機器。
【請求項３】
請求項２記載の表示機器であって、
前記挿入穴部と前記挿入突部とのうちいずれか一方には、前記挿入突部を前記挿入穴部に密着して挿入させるリブが設けられていることを特徴とする表示機器。
【請求項４】
請求項１乃至３のいずれか１項に記載の表示機器であって、
前記切欠部と前記覆い部との近傍には、前記ケースと前記裏カバーとを一体的に固定する固定部が設けられていることを特徴とする表示機器。
【発明の詳細な説明】
【技術分野】
【０００１】
本発明は、車両に適用される表示機器に関する。
【背景技術】
【０００２】
従来、表示機器としては、ケースとしてのフロントケースと、このフロントケースの前面側に配置される表示部としての液晶表示パネルと、フロントケースに収容され液晶表示パネルの背面側に配置される配線板としての回路基板と、この回路基板の背面側に配置されフロントケースを閉塞する裏カバーとしてのリヤケースと、液晶表示パネルに接続されコネクタを介して回路基板に接続される導体としての電気配線とを備えたものが知られている（例えば、特許文献１参照）。
【０００３】
この表示機器では、液晶表示パネルと回路基板とを電気配線で接続することにより、液晶表示パネルの表示が回路基板に搭載されたコントローラによって駆動制御される。
【先行技術文献】
【特許文献】
【０００４】
【特許文献１】特開２０１２−６３３０５号公報
【発明の概要】
【発明が解決しようとする課題】
【０００５】
しかしながら、上記特許文献１のような表示機器では、配線板の背面側が完全に裏カバーによって覆われているので、裏カバーを取り外した状態で、表示部に接続された導体のコネクタと配線板との接続を行おうとしても、ケースと配線板との間の作業スペースが非常に少なく、接続作業性が低下していた。
【０００６】
そこで、この発明は、導体と配線板との接続作業性を向上することができる表示機器の提供を目的としている。
【課題を解決するための手段】
【０００７】
請求項１記載の発明は、ケースと、このケースの前面側に配置される表示部と、前記ケースに収容され前記表示部の背面側に配置される配線板と、この配線板の背面側に配置され前記ケースを閉塞する裏カバーと、前記表示部に接続されコネクタを介して前記配線板に接続される導体とを備えた表示機器であって、前記ケースは、前記コネクタと前記導体とが位置する部分に切欠部が設けられ、前記裏カバーは、前記切欠部側に向けて延設され前記切欠部を覆う覆い部が設けられていることを特徴とする。
【０００８】
この表示機器では、ケースのコネクタと導体とが位置する部分に切欠部が設けられているので、裏カバーをケースから取り外した状態で、切欠部からコネクタと導体とが露出し、ケースと配線板との間の作業スペースを確保することができる。
【０００９】
また、裏カバーは、切欠部側に向けて延設され切欠部を覆う覆い部が設けられているので、裏カバーをケースに組付けた状態で、切欠部からコネクタと導体とが露出することがなく、コネクタと導体との保護を行うことができる。
【００１０】
従って、このような表示機器では、ケースに切欠部が設けられ、裏カバーに覆い部が設けられているので、ケースと配線板との間の作業スペースを確保することができ、導体と配線板との接続作業性を向上することができる。
【００１１】
請求項２記載の発明は、請求項１記載の表示機器であって、前記切欠部と前記覆い部とのうちいずれか一方の対向面には、挿入穴部が設けられ、他方の対向面には、前記挿入穴部に挿入される先細り形状の挿入突部が設けられていることを特徴とする。
【００１２】
この表示機器では、切欠部と覆い部とのうちいずれか一方の対向面に挿入穴部が設けられ、他方の対向面に挿入穴部に挿入される先細り形状の挿入突部が設けられているので、切欠部を覆い部で確実に覆うことができる。加えて、挿入突部は、先細り形状となっているので、挿入突部の挿入穴部への挿入性を向上することができる。
【００１３】
請求項３記載の発明は、請求項２記載の表示機器であって、前記挿入穴部と前記挿入突部とのうちいずれか一方には、前記挿入突部を前記挿入穴部に密着して挿入させるリブが設けられていることを特徴とする。
【００１４】
この表示機器では、挿入穴部と挿入突部とのうちいずれか一方に挿入突部を挿入穴部に密着して挿入させるリブが設けられているので、挿入突部が挿入穴部内でガタつくことがなく、挿入突部の挿入穴部への固定精度を向上することができる。
【００１５】
請求項４記載の発明は、請求項１乃至３のいずれか１項に記載の表示機器であって、前記切欠部と前記覆い部との近傍には、前記ケースと前記裏カバーとを一体的に固定する固定部が設けられていることを特徴とする。
【００１６】
この表示機器では、切欠部と覆い部との近傍にケースと裏カバーとを一体的に固定する固定部が設けられているので、切欠部を覆い部で覆った状態を確実に保持することができる。
【発明の効果】
【００１７】
本発明によれば、導体と配線板との接続作業性を向上することができる表示機器を提供することができるという効果を奏する。
【図面の簡単な説明】
【００１８】
【図１】本発明の実施の形態に係る表示機器の正面図である。
【図２】本発明の実施の形態に係る表示機器の分解斜視図である。
【図３】本発明の実施の形態に係る表示機器の断面図である。
【発明を実施するための形態】
【００１９】
図１〜図３を用いて本発明の実施の形態に係る表示機器について説明する。
【００２０】
本実施の形態に係る表示機器１は、自動車に搭載される自動車用表示機器であり、ケース３と、このケース３の前面側に配置される表示部５と、ケース３に収容され表示部５の背面側に配置される配線板７と、この配線板７の背面側に配置されケース３を閉塞する裏カバー９と、表示部５に接続されコネクタ１１を介して配線板７に接続される導体１３とを備えている。
【００２１】
そして、ケース３は、コネクタ１１と導体１３とが位置する部分に切欠部１５が設けられ、裏カバー９は、切欠部１５側に向けて延設され切欠部１５を覆う覆い部１７が設けられている。
【００２２】
また、切欠部１５の覆い部１７との対向面には、挿入穴部１９が設けられ、覆い部１７の切欠部１５との対向面には、挿入穴部１９に挿入される先細り形状の挿入突部２１が設けられている。
【００２３】
さらに、挿入突部２１には、挿入突部２１を挿入穴部１９に密着して挿入させるリブ２３が設けられている。
【００２４】
また、切欠部１５と覆い部１７との近傍には、ケース３と裏カバー９とを一体的に固定する固定部２５が設けられている。
【００２５】
図１〜図３に示すように、表示機器１は、表示部５と、見返し２７と、表硝子２９と、装飾部材３１と、ケース３と、配線板７と、裏カバー９と、導体１３とを備えている。
【００２６】
表示部５は、ＴＦＴ−ＬＣＤで構成された、いわゆるグラフィックメータとなっている。この表示部５は、中央部に目盛りや数字が付され指針が設けられた速度計３３と、この速度計３３の両側に目盛りや数字が付され指針が設けられた水温計３５及び燃料計３７と、これら水温計３５及び燃料計３７の両側に運転者に警告やシフト状況などを発信するウォーニング表示３９，４１などを備えている。
【００２７】
このような表示部５の前面側には、見返し２７が設けられ、速度計３３と、水温計３５及び燃料計３７と、ウォーニング表示３９，４１とが区画される。
【００２８】
見返し２７は、合成樹脂材料からなり、表示部５の前面側で表示部５の周囲を覆うように設けられ、周囲に設けられた係止部をケース３に係止させることによりケース３に一体的に固定される。
【００２９】
この見返し２７は、中央部に環状に設けられ速度計３３と水温計３５及び燃料計３７とを区画する環状壁部（不図示）と、この環状壁部の両側に上下に位置する周壁部と連結して設けられ水温計３５及び燃料計３７とウォーニング表示３９，４１とを区画する区画壁部４３，４５とを備えている。
【００３０】
このような見返し２７の前面側には、表硝子２９が設けられ、表示部５の各表示を透過して運転者に表示する。
【００３１】
表硝子２９は、透過性を有する材料からなり、見返し２７の前面側に見返し２７の周囲を覆うように設けられ、周囲に設けられた係止部を見返し２７に係止させることにより見返し２７に一体的に固定される。
【００３２】
この表硝子２９の前面側には、装飾部材３１が設けられ、表示部５に奥行きを与えると共に、表硝子２９を透過する表示部５の表示に立体感を与える。
【００３３】
装飾部材３１は、合成樹脂材料からなり、表硝子２９の前面側に表硝子２９及び見返し２７の周囲を覆うように設けられ、周囲に設けられた係止部をケース３に係止させることによりケース３に一体的に固定される。
【００３４】
この装飾部材３１は、中央部に環状に設けられ速度計３３の表示に立体感を与える装飾部４７が設けられている。なお、装飾部材３１は、表示部５の表示に奥行きや立体感を与える他に、表示機器１に高級感を与える。
【００３５】
このような装飾部材３１によって奥行きや立体感を与えられる表示部５は、ケース３の前面側に配置される。
【００３６】
ケース３は、合成樹脂材料からなり、外周側が車体側に固定される。このケース３には、前面側に表示部５が収容配置され、この表示部５の背面側に配線板７が収容配置される。
【００３７】
配線板７は、表示部５側にバックライトや指針を回転させる機器、表示や指針を発光させる光源などが搭載され、裏カバー９側にこれらを制御するコントローラなどが搭載されている。
【００３８】
この配線板７の裏カバー９側には、コントローラなどをノイズから保護するシールドケース４９が設けられ、このシールドケース４９は裏カバー９によって覆われる。
【００３９】
裏カバー９は、合成樹脂材料からなり、切欠部１５及び覆い部１７の近傍に設けられた取付ネジ５１が締結される固定部２５を介してケース３を閉塞するようにケース３に一体的に固定される。
【００４０】
この裏カバー９によって覆われたシールドケース４９には、コネクタ１１が設けられ、表示部５に接続された導体１３が電気的に接続される。
【００４１】
導体１３は、例えば、可撓性を有するＦＰＣなどからなり、一端側が表示部５に電気的に接続され、他端側がコネクタ１１を介して配線板７に電気的に接続される。この導体１３は、表示部５と配線板７とを接続し、表示部５の表示をコントローラによって制御可能とする。
【００４２】
このような導体１３に接続されたコネクタ１１は、ケース３に設けられた導体挿通穴５３を挿通した端部に設けられ、ケース３の側面に設けられた切欠部１５に位置される。
【００４３】
切欠部１５は、ケース３の側面のコネクタ１１及び導体１３が位置する部分を表示部５側に向けて切り欠かれて設けられている。この切欠部１５は、ケース３から裏カバー９を取り外した状態で、切欠部１５からコネクタ１１及び導体１３をケース３の外部に露出させる。
【００４４】
このため、ケース３から裏カバー９を取り外した状態では、図３の矢印で示す作業範囲Ａのように、広範囲に接続作業スペースを確保することができ、容易にコネクタ１１を配線板７に接続させることができる。
【００４５】
このような切欠部１５は、ケース３に裏カバー９を取り付けた状態で、裏カバー９に設けられた覆い部１７によって覆われる。
【００４６】
覆い部１７は、裏カバー９の側面から切欠部１５側に向けて延設されている。この覆い部１７は、ケース３に裏カバー９を取り付けた状態で、切欠部１５を覆い、コネクタ１１と導体１３とが外部に露出することを防止して保護する。
【００４７】
このような覆い部１７と切欠部１５との互いの対向面には、それぞれ挿入穴部１９と挿入突部２１とが設けられている。
【００４８】
挿入穴部１９は、切欠部１５の覆い部１７との対向面に２つ設けられ、ケース３の内部に貫通して設けられている。この挿入穴部１９には、ケース３に裏カバー９を取り付けた状態で、挿入突部２１が挿入される。
【００４９】
挿入突部２１は、覆い部１７の切欠部１５との対向面に挿入穴部１９と対応する位置に２つ設けられ、挿入穴部１９側に向けて先細り形状に突設されている。この挿入突部２１は、ケース３に裏カバー９を取り付けた状態で、挿入穴部１９に挿入され、覆い部１７の切欠部１５に対する組付位置を保持する。
【００５０】
このような挿入突部２１の側面には、それぞれ挿入突部２１を挿入穴部１９に密着して挿入させるリブ２３が設けられている。
【００５１】
リブ２３は、挿入突部２１の側面から突設されている。このリブ２３は、挿入突部２１が挿入穴部１９に挿入されるときに、挿入穴部１９の内周面に当接され、挿入突部２１を挿入穴部１９に密着して挿入させる。
【００５２】
このような表示機器１では、ケース３のコネクタ１１と導体１３とが位置する部分に切欠部１５が設けられているので、裏カバー９をケース３から取り外した状態で、切欠部１５からコネクタ１１と導体１３とが露出し、ケース３と配線板７との間の作業スペースを確保することができる。
【００５３】
また、裏カバー９は、切欠部１５側に向けて延設され切欠部１５を覆う覆い部１７が設けられているので、裏カバー９をケース３に組付けた状態で、切欠部１５からコネクタ１１と導体１３とが露出することがなく、コネクタ１１と導体１３との保護を行うことができる。
【００５４】
従って、このような表示機器１では、ケース３に切欠部１５が設けられ、裏カバー９に覆い部１７が設けられているので、ケース３と配線板７との間の作業スペースを確保することができ、導体１３と配線板７との接続作業性を向上することができる。
【００５５】
また、切欠部１５の覆い部１７との対向面には挿入穴部１９が設けられ、覆い部１７の切欠部１５との対向面には挿入穴部１９に挿入される先細り形状の挿入突部２１が設けられているので、切欠部１５を覆い部１７で確実に覆うことができる。加えて、挿入突部２１は、先細り形状となっているので、挿入突部２１の挿入穴部１９への挿入性を向上することができる。
【００５６】
さらに、挿入突部２１には、挿入突部２１を挿入穴部１９に密着して挿入させるリブ２３が設けられているので、挿入突部２１が挿入穴部１９内でガタつくことがなく、挿入突部２１の挿入穴部１９への固定精度を向上することができる。
【００５７】
また、切欠部１５と覆い部１７との近傍には、ケース３と裏カバー９とを一体的に固定する固定部２５が設けられているので、切欠部１５を覆い部１７で覆った状態を確実に保持することができる。
【００５８】
なお、本発明の実施の形態に係る表示機器では、挿入穴部が切欠部側に設けられ、挿入突部が覆い部側に設けられているが、挿入穴部を覆い部側に設け、挿入突部を切欠部側に設けてもよい。加えて、リブは、挿入突部に設けられているが、挿入穴部に設けてもよい。
【００５９】
また、表示部は、ＴＦＴ−ＬＣＤで構成された表示形態の例を示したが、これに限らず、一般的なＬＣＤでもよく、またＥＬパネルなどからの導体と配線板との接続であってもよい。
【符号の説明】
【００６０】
１…表示機器
３…ケース
５…表示部
７…配線板
９…裏カバー
１１…コネクタ
１３…導体
１５…切欠部
１７…覆い部
１９…挿入穴部
２１…挿入突部
２３…リブ
２５…固定部
【図１】
2014002333.tif 000003
【図２】
2014002333.tif 000004
【図３】
2014002333.tif 000005